Podtech/llm-jp-corpus-v4-ja_patent huggingface dataset:
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
遊技中に抽選契機となる所定事象が発生したことを条件として内部抽選を実行する抽選実行手段と、
前記内部抽選の実行に用いる抽選要素を記憶する記憶手段と、
前記抽選実行手段により前記内部抽選が実行されると、予め決定された変動時間にわたって図柄を変動表示させた後に前記内部抽選の結果に応じた態様で図柄を停止表示させる図柄表示手段と、
前記内部抽選の結果が当選に該当した結果、前記図柄表示手段により当選を表す態様で図柄が停止表示されたことを契機として特別遊技を実行する特別遊技実行手段と、
前記特別遊技実行手段により実行される前記特別遊技が終了して所定の条件が満たされると、前記抽選実行手段による前記内部抽選の実行に際して、少なくとも通常の当選確率が適用される低確率状態を設定するか、もしくは前記低確率状態に比較して高い当選確率が適用される高確率状態を設定するかのいずれかを選択的に決定する確率状態設定手段と、
前記所定の条件を満たすための前記抽選実行手段による前記内部抽選で得られる当選について予め複数の当選種類を規定する当選種類規定手段と、
前記内部抽選の結果が当選に該当する場合、今回の当選が前記当選種類規定手段により規定された複数の当選種類のいずれに該当するかを決定する当選種類決定手段と、
前記所定の条件が満たされた後に、前記低確率状態である場合と前記高確率状態である場合とで共通演出を実行する共通演出実行手段と、
前記抽選実行手段により決定された前記内部抽選の結果に基づいて、前記図柄表示手段により図柄が変動表示される変動時間に関する変動パターンを選択する変動パターン選択手段と、
前記所定の条件が満たされた後の所定タイミングでの前記図柄表示手段による図柄の変動表示において前記共通演出が継続されるか否かを報知する継続演出を実行する継続演出実行手段と、
前記当選種類決定手段により決定された当選種類に応じて異なる前記所定タイミングの発生回数を設定する発生回数設定手段とを備え、
前記変動パターン選択手段は、
前記所定の条件が満たされた後の前記所定タイミング以外では前記内部抽選の結果が非当選の場合は前記記憶手段による前記抽選要素の記憶数に基づいて変動パターンを選択し、前記所定タイミングでは前記内部抽選の結果が非当選の場合であっても前記抽選要素の記憶数に関係なく図柄の変動表示において前記継続演出を実行可能な変動時間に関する特殊な変動パターンを選択する
ことを特徴とする遊技機。
【請求項２】
遊技中に抽選契機となる所定事象が発生したことを条件として内部抽選を実行する抽選実行手段と、
前記抽選実行手段により前記内部抽選が実行されると、予め決定された変動時間にわたって図柄を変動表示させた後に前記内部抽選の結果に応じた態様で図柄を停止表示させる図柄表示手段と、
前記内部抽選の結果が当選に該当した結果、前記図柄表示手段により当選を表す態様で図柄が停止表示されたことを契機として特別遊技を実行する特別遊技実行手段と、
前記特別遊技実行手段により実行される前記特別遊技が終了して所定の条件が満たされると、前記抽選実行手段による前記内部抽選の実行に際して、少なくとも通常の当選確率が適用される低確率状態を設定するか、もしくは前記低確率状態に比較して高い当選確率が適用される高確率状態を設定するかのいずれかを選択的に決定する確率状態設定手段と、
前記所定の条件を満たすための前記抽選実行手段による前記内部抽選で得られる当選について予め複数の当選種類を規定する当選種類規定手段と、
前記内部抽選の結果が当選に該当する場合、今回の当選が前記当選種類規定手段により規定された複数の当選種類のいずれに該当するかを決定する当選種類決定手段と、
前記所定の条件が満たされた後に、前記低確率状態である場合と前記高確率状態である場合とで共通演出を実行する共通演出実行手段と、
前記抽選実行手段により決定された前記内部抽選の結果に基づいて、前記図柄表示手段により図柄が変動表示される変動時間に関する変動パターンを選択する変動パターン選択手段とを備え、
前記共通演出実行手段は、
前記所定の条件が満たされた後に実行するべき前記共通演出に複数のものを備えており、前記所定の条件が満たされた後の所定タイミングで前記共通演出を複数の中で切り替えて実行する
ことを特徴とする遊技機。
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
磁性材料から形成され、体内で磁界によって移動できるヘッドに磁界を付与可能な電磁石と、前記電磁石が付与する磁界によって前記ヘッドに働く磁力の大きさ及び向きとを制御可能な移動制御部とを有する移動装置と、
前記ヘッド又は先端が開口した状態で前記ヘッドに取り付けられ、前記先端の開口部を介して液体を注入又は吸引可能な管の先端側の位置に存在するマークの位置を求め、前記マークの位置に基づいて前記ヘッドの位置を検出可能な位置検出装置と、
を備え、
前記移動装置の移動制御部は、前記電磁石が付与する磁界によって前記ヘッドに働く磁力の大きさ及び向きを調節して、前記管が目的位置に対してほぼ真っ直ぐに挿し込まれるように前記ヘッドの進行方向制御を行うことが可能な移動制御部である
位置制御システム。
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
長朔黄麻、モロヘイヤ、小松菜、三つ葉、水菜、及びほうれん草の少なくともいずれかの植物粉末と高分子凝集剤との混合物を含む造粒物である水浄化剤であって、
前記水浄化剤の嵩比重が、０．４ｇ／ｃｍ３以上であることを特徴とする水浄化剤。
【請求項２】
植物が、長朔黄麻、及びモロヘイヤの少なくともいずれかである請求項１に記載の水浄化剤。
【請求項３】
高分子凝集剤が、ポリアクリルアミドである請求項１から２のいずれかに記載の水浄化剤。
【請求項４】
水浄化剤の嵩比重のばらつき（嵩比重の最小値に対する、嵩比重の最大値と最小値との差の割合）が、４．５％以下である請求項１から３のいずれかに記載の水浄化剤。
【請求項５】
水浄化剤における植物粉末と高分子凝集剤との含有量比が、質量比（植物粉末／高分子凝集剤）で、１／１〜９／１である請求項１から４のいずれかに記載の水浄化剤。
【請求項６】
水浄化剤が、乾燥植物を粉砕し、数平均粒径が２５０μｍ以下の植物粉末を得る植物粉末製造工程と、前記植物粉末と高分子凝集剤とを混合し、水分を加えて混練し、押出造粒により造粒物を得る造粒工程とを含む製造方法により製造される、請求項１から５のいずれかに記載の水浄化剤。
【請求項７】
請求項１から６のいずれかに記載の水浄化剤を水に溶かし、植物粉末及び高分子凝集剤の分散液を得、該分散液を排水に供することにより排水中の無機系不要物を除去することを特徴とする水浄化方法。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変入賞装置を遊技媒体が進入しやすい状態に制御する可変入賞装置制御手段と、
可変表示が行われているときに、前記有利状態に制御されることを示唆する特定演出を実行する特定演出実行手段と、
前記可変入賞装置が遊技媒体が進入しやすい状態に制御されるか否かを報知するための所定演出を実行する所定演出実行手段と、
前記特定演出が実行される可変表示中に前記所定演出の実行を制限する所定演出制限手段とを備え、
前記可変入賞装置制御手段は、前記可変入賞装置が遊技媒体が進入しやすい状態に制御されることが報知され所定期間が経過した後に、前記可変入賞装置を遊技媒体が進入しやすい状態に制御する
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
【特許文献１】特開２０１０−１１０４７５号公報
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、所定演出の実行により遊技に対する興趣を向上させることができるとともに、所定演出の実行によって却って特定演出に遊技者を注目させることができなくなる事態を防止することができる遊技機を提供することを目的とする。
【手続補正７】
【補正対象書類名】明細書
【補正対象項目名】００１０
【補正方法】変更
【補正の内容】
【００１０】
（手段１）本発明による遊技機は、可変表示を行い、遊技者にとって有利な有利状態に制御可能な遊技機であって、可変入賞装置を遊技媒体が進入しやすい状態に制御する可変入賞装置制御手段と、可変表示が行われているときに、有利状態に制御されることを示唆する特定演出を実行する特定演出実行手段と、可変入賞装置が遊技媒体が進入しやすい状態に制御されるか否かを報知するための所定演出を実行する所定演出実行手段と、特定演出が実行される可変表示中に所定演出の実行を制限する所定演出制限手段とを備え、可変入賞装置制御手段は、可変入賞装置が遊技媒体が進入しやすい状態に制御されることが報知され所定期間が経過した後に、可変入賞装置を遊技媒体が進入しやすい状態に制御することを特徴とする。
そのような構成により、所定演出の実行により遊技に対する興趣を向上させることができるとともに、所定演出の実行によって却って特定演出に遊技者を注目させることができなくなる事態を防止することができる。
【手続補正書】
【提出日】平成28年10月18日(2016.10.18)
【手続補正１】
【補正対象書類名】明細書
【補正対象項目名】００１１
【補正方法】変更
【補正の内容】
【００１１】
【図１】針状ころ軸受を含む車両の自動変速機の一例を示す断面図である。
【図２】遊星歯車機構の分解図である。
【図３】遊星歯車機構の作動原理を示す図である。
【図４】針状ころ軸受を遊星歯車機構に組み込んだ状態で示す図である。
【図５】針状ころ軸受用保持器の一例を示す斜視図である。
【図６】キャリア回転試験機を示す模式図である。
【図７】比較例２の遊星歯車の内径面の表面状態を示す図である。
【図８】実施例１の遊星歯車の内径面の表面状態を示す図である。
【図９】実施例２の遊星歯車の内径面の表面状態を示す図である。
【図１０】実施例３の遊星歯車の内径面の表面状態を示す図である。
【図１１】実施例４の遊星歯車の内径面の表面状態を示す図である。
【図１２】実施例５の遊星歯車の内径面の表面状態を示す図である。
【図１３】実施例６の遊星歯車の内径面の表面状態を示す図である。
【図１４】実施例７の遊星歯車の内径面の表面状態を示す図である。
【図１５】実施例８の遊星歯車の内径面の表面状態を示す図である。
【手続補正２】
【補正対象書類名】明細書
【補正対象項目名】００１５
【補正方法】変更
【補正の内容】
【００１５】
遊星歯車機構４の作動原理を図３に示す。まず、１速の場合、図３（ａ）に示すように、太陽歯車４ｂをドライブ側とし、遊星歯車４ｃ（キャリア）をドリブン側とし、リングギヤ４ａを固定することで、大きな減速比が得られる。次に、２速の場合、図３（ｂ）に示すように、太陽歯車４ｂを固定し、遊星歯車４ｃ（キャリア）をドリブン側とし、リングギヤ４ａをドライブ側とすることで、中程度の減速比が得られる。更に、３速の場合、図３（ｃ）に示すように、太陽歯車４ｂを固定し、遊星歯車４ｃ（キャリア）をドライブ側とし、リングギヤ４ａをドリブン側とすることで、小さな減速比が得られる。尚、後退の場合、図３（ｄ）に示すように、太陽歯車４ｂをドリブン側とし、遊星歯車４ｃ（キャリア）を固定し、リングギヤ４ａをドライブ側とすることで、入力に対して出力を逆転させることができる。なお、以上は遊星歯車機構４の動作の一例を示すものであり、必ずしもかかる動作に限られることはない。
【手続補正３】
【補正対象書類名】明細書
【補正対象項目名】００３１
【補正方法】変更
【補正の内容】
【００３１】
そして、試験保持器を針状ころ軸受に組み込んで試験軸受とし、更に試験軸受を図６に示すキャリア回転試験機に装着して下記の条件Ａまたは条件Ｂにて運転した。試験後に、試験保持器の外周面を観察して皮膜の剥離等を評価した。結果を表１に示す。
【手続補正４】
【補正対象書類名】明細書
【補正対象項目名】００３２
【補正方法】変更
【補正の内容】
【００３２】
また、相手材である遊星歯車の内径面について、表面粗さ計を用いて表面の凹凸を測定した。結果を表１、並びに図７〜１１に断面図にて示す。
・条件Ａ
キャリア回転数：７６００ｍｉｎ−１
ピニオン自転数：９３００ｍｉｎ−１
潤滑油：ＡＴＦ
潤滑油供給量：０．０３Ｌ／ｍｉｎ／ピニオン    油温：１２０℃
試験時間：２００時間
・条件Ｂ
キャリア回転数：８０００ｍｉｎ−１
ピニオン自転数：１３５００ｍｉｎ−１
潤滑油：ＡＴＦ
潤滑油供給量：０．０３Ｌ／ｍｉｎ／ピニオン
油温：１２０℃
試験時間：２００時間
【手続補正５】
【補正対象書類名】明細書
【補正対象項目名】００３７
【補正方法】変更
【補正の内容】
【００３７】
そして、試験保持器を針状ころ軸受に組み込んで試験軸受とし、試験軸受を図６に示すキャリア回転試験機に装着して上記の条件Ａまたは条件Ｂにて運転した。試験後に、試験保持器の外周面を観察して皮膜の剥離等を評価した。結果を表２に示す。
【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
シートクッションおよびシートバックを備えた乗物用シートであって、
前記シートバックの左右のフレームを構成する左右のサイドフレームと、
前記左右のサイドフレームの間に配置され、乗員からの荷重を受ける受圧部材と、
前記受圧部材の左右両側に配置され、前記受圧部材の左端部または右端部を初期位置から前方の前進位置に移動させ、または、前記前進位置から前記初期位置に移動させる駆動機構と、を備え、
前記駆動機構は、前記受圧部材に連結される連結機構と、前記連結機構を作動させるための駆動源と、を有し、
前記連結機構は、前記受圧部材に乗員から所定以上の荷重が入力されたときに作動して前記受圧部材を前記初期位置よりも後方の後退位置に移動させ、前記後退位置に前記受圧部材を留まらせるように構成されたことを特徴とする乗物用シート。
【請求項２】
シートクッションおよびシートバックを備えた乗物用シートであって、
前記シートバックの左右のフレームを構成する左右のサイドフレームと、
前記左右のサイドフレームの間に配置され、乗員からの荷重を受ける受圧部材と、
前記受圧部材の左右両側に配置され、前記受圧部材の左端部または右端部を初期位置から前方の前進位置に移動させ、または、前記前進位置から前記初期位置に移動させる駆動機構と、を備え、
前記駆動機構は、前記受圧部材に連結される連結機構と、前記連結機構を作動させるための駆動源と、を有し、
前記連結機構は、前記左右のサイドフレームに対して前後に回動可能に設けられ、前記受圧部材に連結されたリンク部材を有し、
前記受圧部材に乗員から所定未満の荷重が入力されているときには前記リンク部材の後方への回動を規制し、前記受圧部材に乗員から所定以上の荷重が入力されたときには変形して前記リンク部材の後方への回動を可能とする回動抵抗部材を備えることにより、前記受圧部材に乗員から所定以上の荷重が入力されたときに前記連結機構が作動して前記受圧部材を前記初期位置よりも後方の後退位置に移動させるように構成されたことを特徴とする乗物用シート。
【請求項３】
前記連結機構は、前記左右のサイドフレームに対して前後に回動可能に設けられ、前記受圧部材に連結されたリンク部材を有し、
前記受圧部材に乗員から所定未満の荷重が入力されているときには前記リンク部材の後方への回動を規制し、前記受圧部材に乗員から所定以上の荷重が入力されたときには変形して前記リンク部材の後方への回動を可能とする回動抵抗部材を備えたことを特徴とする請求項１に記載の乗物用シート。
【請求項４】
前記回動抵抗部材は、前記受圧部材と前記リンク部材を連結する連結ワイヤを含むことを特徴とする請求項２または請求項３に記載の乗物用シート。
【請求項５】
前記回動抵抗部材は、前記リンク部材を前に回動する側に付勢する付勢部材を含むことを特徴とする請求項２から請求項４のいずれか１項に記載の乗物用シート。
【請求項６】
前記連結機構は、前記駆動源の出力軸に連結された第２のリンク部材を有し、
前記リンク部材は、前記第２のリンク部材に対して回動可能に設けられていることを特徴とする請求項２から請求項５のいずれか１項に記載の乗物用シート。
【請求項７】
前記受圧部材が前記後退位置にある状態で前記リンク部材を後に回動する側に付勢する第２の付勢部材を備えたことを特徴とする請求項２から請求項６のいずれか１項に記載の乗物用シート。
【請求項８】
前記リンク部材と前記受圧部材との連結部は、前記受圧部材が前記初期位置にある状態で前記リンク部材の回動中心よりも前に配置されることを特徴とする請求項２から請求項７のいずれか１項に記載の乗物用シート。
【請求項９】
前記リンク部材と前記受圧部材との連結部は、前記受圧部材が前記後退位置にある状態で前記リンク部材の回動中心よりも後に配置されることを特徴とする請求項２から請求項８のいずれか１項に記載の乗物用シート。
【請求項１０】
前記リンク部材と前記受圧部材との連結部は、前記受圧部材が前記初期位置にある状態で、前記リンク部材の回動軸方向から見て、前記第２のリンク部材の回動中心を中心とし、前記第２のリンク部材の回動中心から前記リンク部材の回動中心までの長さを半径とする円の内側に配置されていることを特徴とする請求項６に記載の乗物用シート。
【請求項１１】
前記リンク部材と前記受圧部材との連結部は、前記受圧部材が前記初期位置にある状態で前記リンク部材の回動中心よりも左右方向外側に配置されていることを特徴とする請求項２から請求項１０のいずれか１項に記載の乗物用シート。
【請求項１２】
前記受圧部材が前記後退位置に移動したときに当接して前記リンク部材の回動量を規制するストッパを備えたことを特徴とする請求項２から請求項１１のいずれか１項に記載の乗物用シート。
【手続補正２】
【補正対象書類名】明細書
【補正対象項目名】０００７
【補正方法】変更
【補正の内容】
【０００７】
前記した目的を達成するための本発明は、シートクッションおよびシートバックを備えた乗物用シートであって、前記シートバックの左右のフレームを構成する左右のサイドフレームと、前記左右のサイドフレームの間に配置され、乗員からの荷重を受ける受圧部材と、前記受圧部材の左右両側に配置され、前記受圧部材の左端部または右端部を初期位置から前方の前進位置に移動させ、または、前記前進位置から前記初期位置に移動させる駆動機構と、を備え、前記駆動機構は、前記受圧部材に連結される連結機構と、前記連結機構を作動させるための駆動源と、を有し、前記連結機構は、前記受圧部材に乗員から所定以上の荷重が入力されたときに作動して前記受圧部材を前記初期位置よりも後方の後退位置に移動させるように構成されたことを特徴とする。また、前記連結機構は、前記受圧部材に乗員から所定以上の荷重が入力されたときに作動して前記受圧部材を前記初期位置よりも後方の後退位置に移動させ、前記後退位置に前記受圧部材を留まらせる構成とすることができる。
【手続補正書】
【提出日】平成28年9月2日(2016.9.2)
【手続補正１】
【補正対象書類名】明細書
【補正対象項目名】００２７
【補正方法】変更
【補正の内容】
【００２７】
係止部材４４と、連結杆８０の係止突起８１又はアームレスト５０の係止突起５１とは、係止部材４４を付勢力に抗して手押し杆４０の支持管４０ｂに沿って上方へ移動させることによって係止解除され、係止部材４４を元の位置に戻すと再び係止される。手押し杆４０は、係止部材４４と係止突起８１又は係止突起５１との係止が解除された状態で、前後に揺動させることができ、背面押し位置と対面押し位置とを切り替えることができる。すなわち、手押し杆４０を背面押し位置（図２）にしたい場合には、係止部材４４と連結杆８０の係止突起８１とを係止させ、手押し杆４０を対面押し位置（図３）にしたい場合には、係止部材４４とアームレスト５０の係止突起５１とを係止させる。手押し杆４０が背面押し位置にある場合には、図２に示されるように、手押し杆４０と、前脚２０、さらには連結杆８０とは平行である。また、手押し杆４０が対面押し位置にある場合には、図３に示されるように、手押し杆４０と後脚３０とは平行である。
【手続補正書】
【提出日】平成28年8月10日(2016.8.10)
【手続補正１】
【補正対象書類名】明細書
【補正対象項目名】００４４
【補正方法】変更
【補正の内容】
【００４４】
更に、過給機３０に対する排気流導入口３２Ａの一部が車体側面視にて、バランサシャフトハウジング３８の前端より後方に位置する。排気管３２をクランクケース１２に這わせることで、排気管３２がバランサシャフトハウジング３８の前方を迂回せずに比較的曲がりの少ない形状で過給機３０に到達する。これにより排気管３２内の排気抵抗を低減して過給機３０のタービンをより強力に回すことができ、過給機３０の加圧能力が向上する。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
開閉可能に構成された一対の可動翼を有し、該可動翼が、遊技球が相対的に入球し難い閉状態と相対的に入球し易い開状態との間で変移し得るように構成された可変入賞装置を備える遊技機であって、
前記可動翼の視認性を変動させ得る視認性変動機構を備え、
前記視認性変動機構が、光透過性を変動させ得る遮蔽部を有して構成されていることを特徴とする遊技機。
【請求項２】
前記視認性変動機構が、前記遮蔽部としてのハーフミラーにより構成された前面板と、該前面板に後方から光を照射し得る発光手段と、を有して構成されていることを特徴とする請求項１に記載の遊技機。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
開閉可能に構成された一対の可動翼を有し、該可動翼が、遊技球が相対的に入球し難い閉状態と相対的に入球し易い開状態との間で変移し得るように構成された可変入賞装置を備える遊技機であって、
前記可動翼の視認性を変動させ得る視認性変動機構を備えることを特徴とする遊技機。
【請求項２】
前記視認性変動機構が、前記可動翼の少なくとも一部を前方から覆う遮蔽位置と、該遮蔽位置にあるときよりも前記可動翼を大きく前方へ露出させる露出位置との間を移動し得る前面板を有して構成されていることを特徴とする請求項１に記載の遊技機。
【請求項３】
前記前面板がリンク機構を介して可動翼の開閉動作に連動して移動するように構成されていることを特徴とする請求項２に記載の遊技機。
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
モル％表示で、
SiO2  55〜80%、
Al2O3  8〜20%、
B2O3   0〜8%、
MgO   0%超〜15%、
CaO   4〜13%、
SrO   0〜15%、
BaO   0〜10%、
を含有し、
SiO2+2×Al2O3が100%以下であり、
(SiO2-Al2O3/2)が50〜63%であり、
モル比B2O3/(SiO2+Al2O3)が0〜0.12であり、
モル比MgO/RO(但し、ROはMgO、CaO、SrO及びBaOの合量である)が0.15〜0.9の範囲であり、
歪点が690℃以上であり、
ガラス転移温度が740℃以上であり、
失透温度が1235℃以下である、ディスプレイ用ガラス基板。
【請求項２】
モル％表示で、
SiO2  55〜80%、
Al2O3  8〜20%、
B2O3   0〜8%、
MgO   0%超〜15%、
CaO   0〜20%、
SrO   0〜4%、
BaO   0〜10%、
を含有し、
SiO2+2×Al2O3が100%以下であり、
(SiO2-Al2O3/2)が50〜63%であり、
モル比B2O3/(SiO2+Al2O3)が0〜0.12であり、
モル比MgO/RO(但し、ROはMgO、CaO、SrO及びBaOの合量である)が0.15〜0.9の範囲であり、
歪点が690℃以上であり、
ガラス転移温度が740℃以上であり、
失透温度が1235℃以下である、ディスプレイ用ガラス基板。
【請求項３】
常温から10℃／分で昇温し、550℃で2時間保持し、その後、10℃／分で常温まで降温した後の下記式で示される熱収縮率が3ppm以上75ppm未満である、請求項１又は２に記載のガラス基板。
熱収縮率（ppm）＝｛熱処理前後のガラスの収縮量／熱処理前のガラスの長さ｝×106
【請求項４】
モル％表示で、
SiO2  63〜70%、
Al2O3  12〜15%、
B2O3    1.5〜7%、
MgO    3〜11%、
CaO    5〜11%、
SrO    0〜4%、
BaO    0〜4%、
を含有する、請求項１〜３のいずれか１項に記載のガラス基板。
【請求項５】
SnO2とFe2O3とを含有し、
モル％表示で、
SnO2  0.03〜0.15%、
SnO2とFe2O3との合量は、0.05〜0.2%の範囲である、
請求項１〜４のいずれか１項に記載のガラス基板。
【請求項６】
モル％表示で、
Li2O、Na2O及びK2Oの合量は、0.01〜0.5mol%である、請求項１〜５のいずれか１項に記載のガラス基板。
【請求項７】
As2O3及びSb2O3を実質的に含有しない、請求項１〜６のいずれか１項に記載のガラス基板。
【請求項８】
100〜300℃における平均熱膨張係数が28×10-7℃-1以上、50×10-7℃-1未満である、請求項１〜７のいずれか１項に記載のガラス基板。
【請求項９】
前記ガラス基板は、フラットパネルディスプレイ用ガラス基板である請求項１〜８のいずれか１項に記載のガラス基板。
【請求項１０】
LTPSまたは酸化物半導体から形成された薄膜トランジスタをガラス基板表面に形成したディスプレイであって、前記ガラス基板が、請求項１〜９のいずれか１項に記載のガラス基板であるディスプレイ。
【請求項１１】
ガラス基板を備える液晶ディスプレイまたは有機ＥＬディスプレイであって、前記ガラス基板が、請求項１〜９のいずれか１項に記載のガラス基板である、ディスプレイ。
【請求項１２】
所定の組成に調合したガラス原料を熔解する熔解工程と、
前記熔解工程にて熔解した熔融ガラスを平板状ガラスに成形する成形工程と、
前記平板状ガラスを徐冷する工程であって、前記平板状ガラスの熱収縮率を低減するように前記平板状ガラスの冷却条件を制御する徐冷工程と、を含む請求項１〜９のいずれか１項に記載のディスプレイ用ガラス基板の製造方法。
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
１日用量として、２〜２０ｍｇの３−（３−｛４−［３−（β−Ｄ−グルコピラノシルオキシ）−５−イソプロピル−１Ｈ−ピラゾール−４−イルメチル］−３−メチルフェノキシ｝プロピルアミノ）−２，２−ジメチルプロピオンアミド又はフリー体換算値として２〜２０ｍｇのその薬理学的に許容される塩を有効成分として含有する便秘の予防又は治療用医薬。
【請求項２】
フリー体換算値として２〜２０ｍｇのビス［３−（３−｛４−［３−（β−Ｄ−グルコピラノシルオキシ）−５−イソプロピル−１Ｈ−ピラゾール−４−イルメチル］−３−メチルフェノキシ｝プロピルアミノ）−２，２−ジメチルプロピオンアミド］・モノセバシン酸塩を有効成分として含有する請求項１記載の医薬。
【請求項３】
１日１回投与することを特徴とする、請求項１又は２記載の医薬。
【請求項４】
便秘が機能性便秘である、請求項１〜３のいずれかに記載の医薬。
【請求項５】
機能性便秘が慢性特発性便秘症である、請求項４記載の医薬。
【請求項６】
機能性便秘が薬物性便秘である、請求項４記載の医薬。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
所定条件の成立にもとづいて、遊技者にとって有利な有利状態に制御可能な遊技機であって、
遊技者の動作を検出可能な検出手段と、
複数種類の演出を実行可能な演出実行手段とを備え、
前記演出実行手段は、
前記検出手段によって遊技者の動作が連続して検出されたことにより態様が変化する特定演出を実行可能であり、
第１のタイミングおよび該第１のタイミングより後の第２のタイミングにおいて、前記有利状態に制御される可能性を異なる度合いにより予告する複数種類の演出を実行可能であり、前記第２のタイミングにおいて演出を実行する場合には、前記第１のタイミングにおいて実行する演出と比較して、前記有利状態に制御される可能性の度合いが同程度の演出または前記有利状態に制御される可能性の度合いが高い演出を実行する
ことを特徴とする遊技機。
【手続補正２】
【補正対象書類名】明細書
【補正対象項目名】０００１
【補正方法】変更
【補正の内容】
【０００１】
本発明は、所定条件の成立にもとづいて、遊技者にとって有利な有利状態に制御可能なパチンコ遊技機等の遊技機に関する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明は、遊技者が一度抱いた期待感を損なうことを防止できる遊技機を提供することを目的とする。
【手続補正５】
【補正対象書類名】明細書
【補正対象項目名】０００９
【補正方法】変更
【補正の内容】
【０００９】
（手段１）本発明による遊技機は、所定条件の成立にもとづいて、遊技者にとって有利な有利状態（例えば、大当り遊技状態）に制御可能な遊技機であって、遊技者の動作を検出可能な検出手段（例えば、プッシュボタン１２０）と、複数種類の演出を実行可能な演出実行手段とを備え、演出実行手段は、検出手段によって遊技者の動作が連続して検出されたことにより態様が変化する特定演出を実行可能であり、第１のタイミングおよび該第１のタイミングより後の第２のタイミングにおいて、有利状態に制御される可能性を異なる度合いにより予告する複数種類の演出を実行可能であり、第２のタイミングにおいて演出を実行する場合には、第１のタイミングにおいて実行する演出と比較して、有利状態に制御される可能性の度合いが同程度の演出または有利状態に制御される可能性の度合いが高い演出を実行することを特徴とする。
そのような構成により、遊技者が一度抱いた期待感を損なうことを防止できる。
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
遊技者が所定の遊技を行うことが可能な遊技機であって、
画像を表示する画像表示手段と、
前記画像表示手段に表示させる画像を決定し、当該決定に応じた表示指令を出力する表示内容決定手段と、
前記表示内容決定手段からの表示指令に基づいて、前記画像表示手段による画像表示を制御する画像表示制御手段と、
を備え、
前記画像表示制御手段は、
前記画像表示手段により表示される画像に対応する画像データを記憶する画像データ記憶手段と、
前記画像データ記憶手段から読み出された画像データを一時記憶する一時記憶手段と、
前記画像データに対応する表示用データを記憶する表示用データ記憶手段と、
前記表示内容決定手段からの表示指令に基づいて、前記画像データ記憶手段から前記画像データを読み出して前記一時記憶手段に記憶させる転送処理を実行後、当該一時記憶手段に記憶された画像データを読み出して当該画像データに基づく表示用データを前記表示用データ記憶手段に記憶させる描画処理を実行するデータ処理手段と、
前記表示用データ記憶手段に記憶された表示用データを前記画像表示手段に出力する表示用データ出力手段と、
を含み、
前記データ処理手段は、前記表示内容決定手段により複数の表示指令が出力されているときに、一の表示指令に基づく転送処理が完了した時点で当該一の表示指令に基づく描画処理を実行するとともに、当該描画処理と並行して次の表示指令に基づく転送処理を実行し、
前記画像表示手段に表示される画像のうち特定画像については、当該特定画像に対応する一の画像データが分割された複数の画像データが前記画像データ記憶手段に記憶され、
前記表示内容決定手段は、前記特定画像を表示させるときには、当該特定画像に対応する複数の画像データ毎に表示指令を出力し、
前記表示内容決定手段は、
表示指令として前記画像データ記憶手段における画像データの記憶領域の位置を指定する情報を出力し、
前記特定画像に対応する一の画像データが分割された複数の画像データは、位置を指定する情報が連続した複数の記憶領域に記憶され、
前記特定画像に対応する一の画像データが分割された複数の画像データは、データ量及び対応する画像の画素数の少なくとも何れかが同一であることを特徴とする遊技機。
【手続補正２】
【補正対象書類名】明細書
【補正対象項目名】０００８
【補正方法】変更
【補正の内容】
【０００８】
（１）上記目的を達成するため、本願の第１の観点に係る遊技機は、
遊技者が所定の遊技を行うことが可能な遊技機（例えばパチンコ遊技機１など）であって、画像を表示する画像表示手段（例えば画像表示装置５など）と、前記画像表示手段に表示させる画像を決定し、当該決定に応じた表示指令（例えば転送表示コマンドなど）を出力する表示内容決定手段（例えば演出制御用マイクロコンピュータ１２０が備えるＣＰＵ１３１など）と、前記表示内容決定手段からの表示指令に基づいて、前記画像表示手段による画像表示を制御する画像表示制御手段（例えば表示制御部１２１など）と、を備え、前記画像表示制御手段は、前記画像表示手段により表示される画像に対応する画像データ（例えば画像要素データなど）を記憶する画像データ記憶手段（例えばＣＧＲＯＭ１４２など）と、前記画像データ記憶手段から読み出された画像データを一時記憶する一時記憶手段（例えば画像要素一時記憶メモリ１５５など）と、前記画像データに対応する表示用データを記憶する表示用データ記憶手段（例えばフレームバッファメモリ１５６など）と、前記表示内容決定手段からの表示指令に基づいて、前記画像データ記憶手段から前記画像データを読み出して前記一時記憶手段に記憶させる転送処理を実行後、当該一時記憶手段に記憶された画像データを読み出して当該画像データに基づく表示用データを前記表示用データ記憶手段に記憶させる描画処理を実行するデータ処理手段（例えば転送制御回路１５２及び描画回路１５４など）と、前記表示用データ記憶手段に記憶された表示用データを前記画像表示手段に出力する表示用データ出力手段（例えば表示回路１５７など）と、を含み、前記データ処理手段は、前記表示内容決定手段により複数の表示指令が出力されているときに、一の表示指令に基づく転送処理が完了した時点で当該一の表示指令に基づく描画処理を実行する（例えば描画回路１５４によるステップＳ５２５の処理など）とともに、当該描画処理と並行して次の表示指令に基づく転送処理（例えば転送制御回路１５２によるステップＳ４０３の処理など）を実行し、前記画像表示手段に表示される画像のうち特定画像（例えば対応する画像要素データのデータ量及び対応する画像の画素数の何れかが所定量を超える画像など）については、当該特定画像に対応する一の画像データが分割された複数の画像データ（例えば図１９及び図２０に示すように記憶された分割画像要素データなど）が前記画像データ記憶手段に記憶され、前記表示内容決定手段は、前記特定画像を表示させるときには、当該特定画像に対応する複数の画像データ毎に表示指令を出力し（例えば演出制御用マイクロコンピュータ１２０が備えるＣＰＵ１３１によるステップＳ３６２〜Ｓ３６８の処理など）、前記表示内容決定手段は、表示指令として前記画像データ記憶手段における画像データの記憶領域の位置を指定する情報を出力し（例えば演出制御用マイクロコンピュータ１２０が備えるＣＰＵ１３１がステップＳ３６７においてＣＧＲＯＭ読出アドレスの情報を含んだ転送表示コマンドを出力する処理など）、前記特定画像に対応する一の画像データが分割された複数の画像データは、位置を指定する情報が連続した複数の記憶領域に記憶され（例えば図１９及び図２０に示すように分割画像要素データが記憶されることなど）、前記特定画像に対応する一の画像データが分割された複数の画像データは、データ量及び対応する画像の画素数の少なくとも何れかが同一である（例えば、図１９及び図２０において、大型表示モードの演出画像の各画像要素データはデータ量及び対応する画像の画素数は同一であることなど）ことを特徴とする。
また、前記特定画像に対応する一の画像データが分割された複数の画像データについて、一部のみに対する表示指令の出力は行わずに、全てに対する表示指令の出力が完了したと判定されるまで表示指令の出力を行う（例えば、ステップＳ３６２〜Ｓ３６８において、１の画像要素を構成する３つの分割画像要素について、一部のみに対する転送表示コマンドが出力されることはなく、全てに対する転送表示コマンドの出力が完了したと判定されるまで転送表示コマンドの出力が行われることなど）、ようにしてもよい。
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
遊技者に対する有利度を変更可能な遊技機であって、
遊技機の前面に設けられた開閉可能な開閉体と、
前記開閉体が開放状態であるときに操作可能となる操作手段と、
前記開閉体の開閉状態を検出する開閉状態検出手段と、
複数種類の設定値のうちからいずれかの設定値を選択することで前記有利度を変更可能な設定変更状態に制御するために前記操作手段が特定操作されたことを検出する特定操作検出手段と、
前記開閉状態検出手段により前記開閉体が開放状態であることが検出され、かつ前記特定操作検出手段により前記特定操作されたことが検出されたときには、前記設定変更状態に制御し、前記開閉体が開放状態でないことが検出されたときには、前記設定変更状態に制御しない状態制御手段と、
前記設定値を表示する設定値表示部と、
前記設定変更状態において、前記設定値を変更するための変更操作を検出可能な変更操作検出手段と、
前記設定値表示部に表示されている設定値に決定するための決定操作を検出可能な決定操作検出手段とを備え、
前記状態制御手段は、前記設定変更状態に制御した後においては、当該設定変更状態における前記開閉状態検出手段の検出結果に関わらず、前記設定変更状態を終了させる設定終了条件が成立するまで当該設定変更状態を維持し、
前記変更操作検出手段は、前記設定変更状態においては、当該設定変更状態における前記開閉状態検出手段の検出結果に関わらず、前記変更操作検出手段が前記変更操作されたことを検出し、
前記決定操作検出手段は、前記設定変更状態においては、当該設定変更状態における前記開閉状態検出手段の検出結果に関わらず前記開閉体が開放状態および閉鎖状態のうちのいずれであっても、前記決定操作検出手段が前記決定操作されたことを検出することを特徴とする、遊技機。
【手続補正２】
【補正対象書類名】明細書
【補正対象項目名】０００９
【補正方法】変更
【補正の内容】
【０００９】
遊技者に対する有利度を変更可能な遊技機であって、
遊技機の前面に設けられた開閉可能な開閉体と、
前記開閉体が開放状態であるときに操作可能となる操作手段と、
前記開閉体の開閉状態を検出する開閉状態検出手段と、
複数種類の設定値のうちからいずれかの設定値を選択することで前記有利度を変更可能な設定変更状態に制御するために前記操作手段が特定操作されたことを検出する特定操作検出手段と、
前記開閉状態検出手段により前記開閉体が開放状態であることが検出され、かつ前記特定操作検出手段により前記特定操作されたことが検出されたときには、前記設定変更状態に制御し、前記開閉体が開放状態でないことが検出されたときには、前記設定変更状態に制御しない状態制御手段と、
前記設定値を表示する設定値表示部と、
前記設定変更状態において、前記設定値を変更するための変更操作を検出可能な変更操作検出手段と、
前記設定値表示部に表示されている設定値に決定するための決定操作を検出可能な決定操作検出手段とを備え、
前記状態制御手段は、前記設定変更状態に制御した後においては、当該設定変更状態における前記開閉状態検出手段の検出結果に関わらず、前記設定変更状態を終了させる設定終了条件が成立するまで当該設定変更状態を維持し、
前記変更操作検出手段は、前記設定変更状態においては、当該設定変更状態における前記開閉状態検出手段の検出結果に関わらず、前記変更操作検出手段が前記変更操作されたことを検出し、
前記決定操作検出手段は、前記設定変更状態においては、当該設定変更状態における前記開閉状態検出手段の検出結果に関わらず前記開閉体が開放状態および閉鎖状態のうちのいずれであっても、前記決定操作検出手段が前記決定操作されたことを検出する。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
互いに異なるスペクトルの光を発生する複数の光源を有して被検体を照明する照明手段と、前記被検体を撮像する撮像手段と、該撮像手段により撮像される前記被検体の観察倍率を変更する観察倍率変更手段と、を具備する内視鏡装置であって、
前記観察倍率変更手段により設定される観察倍率に応じて、前記撮像手段のシャッター速度と絞り値を自動設定する制御手段を備え、
前記照明手段は、半導体発光素子を有する白色照明用光源と、被検体となる生体組織表層の微細血管構造を強調する特殊光波長の光を出射する半導体発光素子を有する特殊光光源と、を備え、前記観察倍率変更手段により設定される観察倍率に応じて前記白色照明用光源と前記特殊光光源の出射光光量比が連続的に変化する照明光であって、前記観察倍率が高いほど前記白色照明用光源の出射光量に対する前記特殊光光源の出射光量を増加させ、近景観察のとき程前記微細血管構造が強調されるようにした照明光を出射する内視鏡装置。
【請求項２】
請求項１記載の内視鏡装置であって、
前記白色照明用光源が、赤色光、緑色光、青色光に発光する半導体発光素子を有して構成される内視鏡装置。
【請求項３】
請求項１記載の内視鏡装置であって、
前記白色照明用光源が、半導体発光素子と、該半導体発光素子の発光波長で励起する蛍光体を含んだ波長変換部材と、を有して構成される内視鏡装置。
【請求項４】
請求項１〜請求項３のいずれか１項記載の内視鏡装置であって、
前記特殊光波長の光の中心波長が、４００ｎｍ乃至４７０ｎｍの範囲に含まれる内視鏡装置。
【請求項５】
請求項１〜請求項４のいずれか１項記載の内視鏡装置であって、
前記観察倍率が、変倍光学系の倍率を示す値である内視鏡装置。
【請求項６】
請求項１〜請求項４のいずれか１項記載の内視鏡装置であって、
前記観察倍率が、デジタルズーム処理の倍率を示す値である内視鏡装置。
【請求項７】
請求項１〜請求項６のいずれか１項記載の内視鏡装置であって、
複数の波長域の組合せを波長セットとして設定する波長セット設定手段と、
前記被検体に白色照明光を照射して撮像して得た撮像画像に対してマトリクス演算を施すことで、前記波長セット設定手段に設定された波長セットによるスペクトル光を照射したときに得られる観察画像を推定した分光推定画像を生成する分光画像生成手段と、を備え、
前記波長セット設定手段に設定される波長セットを所望の波長セットにして観察画像を得る場合に、前記観察倍率に応じた前記出射光光量比の照明光の波長域が、前記波長セットに含まれる波長域に重複しているときは、前記出射光光量比の照明光下で撮像して観察画像とし、重複していない波長域が存在するときは、前記白色照明用光源による白色照明光を照射して得た撮像画像から、前記分光画像生成手段により前記所望の波長セットに対応する分光推定画像を生成してこれを観察画像とする内視鏡装置。
【請求項８】
請求項７記載の内視鏡装置であって、
前記分光画像生成手段が、前記白色照明用光源と前記特殊光光源を共に点灯させて撮像した撮像画像により分光推定画像を生成する内視鏡装置。
【手続補正２】
【補正対象書類名】明細書
【補正対象項目名】０００７
【補正方法】変更
【補正の内容】
【０００７】
本発明は下記構成からなる。
互いに異なるスペクトルの光を発生する複数の光源を有して被検体を照明する照明手段と、前記被検体を撮像する撮像手段と、該撮像手段により撮像される前記被検体の観察倍率を変更する観察倍率変更手段と、を具備する内視鏡装置であって、
前記観察倍率変更手段により設定される観察倍率に応じて、前記撮像手段のシャッター速度と絞り値を自動設定する制御手段を備え、
前記照明手段は、半導体発光素子を有する白色照明用光源と、被検体となる生体組織表層の微細血管構造を強調する特殊光波長の光を出射する半導体発光素子を有する特殊光光源と、を備え、前記観察倍率変更手段により設定される観察倍率に応じて前記白色照明用光源と前記特殊光光源の出射光光量比が連続的に変化する照明光であって、前記観察倍率が高いほど前記白色照明用光源の出射光量に対する前記特殊光光源の出射光量を増加させ、近景観察のとき程前記微細血管構造が強調されるようにした照明光を出射する内視鏡装置。
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
粘着剤を有する粘着体を備え、
平滑な表面を有するプレートの該平滑なプレート表面に前記粘着体を接触させることによって、該プレート表面に付着している有機物からなる汚れを取り除くために使用されるものであり、
前記粘着剤は、ベースポリマーとしてのアクリル系ポリマーと、可塑剤と、を含み、      
前記アクリル系ポリマーは、式：
ＣＨ２＝ＣＲ１ＣＯＯＲ２
（上記式中のＲ１は水素原子またはメチル基である。Ｒ２は炭素原子数１〜２０のアルキル基である。）；で表わされる（メタ）アクリル酸アルキルエステルが５０質量％を超える割合で共重合されたアクリル系ポリマーである、プレート表面用粘着クリーナー。
【請求項２】
粘着剤を有する粘着体を備え、
平滑な表面を有するプレートの該平滑なプレート表面に前記粘着体を接触させることによって、該プレート表面に付着している有機物からなる汚れを取り除くために使用されるものであり、
前記粘着剤は、ベースポリマーと可塑剤とを含み、
前記粘着剤における前記可塑剤の含有量は、前記ベースポリマー１００質量部に対して１０質量部以上である、プレート表面用粘着クリーナー。
【請求項３】
前記粘着体を支持する支持体を備え、
前記支持体は、前記粘着剤を前記プレート表面に押しつけつつ該プレート表面に沿って前記粘着体を転動可能に該粘着体を保持するように構成されている、請求項１または２に記載のプレート表面用粘着クリーナー。
【請求項４】
前記支持体は円筒状に形成されており、該円筒状支持体の外周面に前記粘着体が備えられており、
ここで前記円筒状支持体の外径は、少なくとも４ｍｍ以上に設計されている、請求項３に記載のプレート表面用粘着クリーナー。
【請求項５】
前記粘着体は、シート状の基材を備え、該シート状基材の一方の面に前記粘着剤が保持されることによって粘着シートを形成し、該粘着剤を外側として巻回された粘着シートロールとして構成されている、請求項１〜４のいずれか一項に記載のプレート表面用粘着クリーナー。
【請求項６】
前記シート状基材は、合成樹脂、不織布または紙で構成されている、請求項５に記載のプレート表面用粘着クリーナー。
【請求項７】
前記粘着体の粘着力が、ＪＩＳ Ｚ０２３７に規定する１８０°剥離試験に基づく測定値で１〜７Ｎ／２５ｍｍである、請求項１〜６のいずれか一項に記載のプレート表面用粘着クリーナー。
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
携帯端末であって、
カメラの動作間隔を記憶する記憶部と、
前記携帯端末の傾きが計測された後の状態で、前記記憶部に記憶された前記カメラの動作間隔にて画像を撮影する前記カメラと、
前記カメラが撮影した画像を解析し、前記携帯端末の所定の方向に対する、前記画像に含まれるユーザの顔の相対的な方向を特定する特定部と、
前記特定部により特定された前記相対的な方向に応じて、表示画面に表示すべきコンテンツの表示方向を変更する変更部と、
を有する携帯端末。
【請求項２】
前記携帯端末の傾きを計測する計測部と、
前記計測部により計測された前記携帯端末の傾きが所定値以上変化したことを検出した時点から所定時間が経過するまでの間における前記携帯端末の傾きの変化が所定の条件を満たすか判断する判断部と、
前記所定の条件が満たされると前記判断部により判断された場合、前記カメラの動作間隔を切り替えると共に、切り替えられた前記カメラの動作間隔を前記記憶部に格納する格納処理部と、
をさらに有する請求項１記載の携帯端末。
【手続補正２】
【補正対象書類名】明細書
【補正対象項目名】０００７
【補正方法】変更
【補正の内容】
【０００７】
本携帯端末は、カメラの動作間隔を記憶する記憶部と、携帯端末の傾きが計測された後の状態で、記憶部に記憶されたカメラの動作間隔にて画像を撮影するカメラと、カメラが撮影した画像を解析し、携帯端末の所定の方向に対する、画像に含まれるユーザの顔の相対的な方向を特定する特定部と、特定部により特定された相対的な方向に応じて、表示画面に表示すべきコンテンツの表示方向を変更する変更部とを有する。
【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
プロセッサベースのシステムによりイヤホンに提供される、ユーザの頭部のサウンドを調整して、前記システムに対する前記ユーザの頭部の向きに応じた３次元サウンドエフェクトを生成するプロセッサと、
前記プロセッサに結合されたストレージと、
を備え、
前記プロセッサは、前記システムからの前記ユーザの距離、および、前記システムに対する前記ユーザの頭部の向きに基づいて前記プロセッサベースのシステムからのサウンドを生成する、装置。
【請求項２】
前記プロセッサに結合されたビデオカメラを備える、請求項１に記載の装置。
【請求項３】
前記プロセッサに結合されたヘッドフォンを備える、請求項１または２に記載の装置。
【請求項４】
前記プロセッサに結合されたディスプレイを備える、請求項１から３の何れか１項に記載の装置。
【請求項５】
前記プロセッサは、前記ユーザの頭部の位置または向きを補償すべくレイテンシを調整する、請求項１から４の何れか１項に記載の装置。
【請求項６】
前記プロセッサは、ビデオ分析を利用して前記ユーザの頭部の位置および向きを判断する、請求項１から５の何れか１項に記載の装置。
【請求項７】
前記プロセッサは、前記ユーザの頭部の位置に基づいて前記３次元サウンドエフェクトを生成する、請求項１から６の何れか１項に記載の装置。
【請求項８】
ディスプレイを備え、
前記プロセッサは、前記ディスプレイに対する前記ユーザの位置に基づいてサウンドを調整する、請求項１から７の何れか１項に記載の装置。
【請求項９】
前記イヤホンは、ヘッドフォンである、請求項１から８の何れか１項に記載の装置。
【請求項１０】
プロセッサベースのシステムによりイヤホンに提供される、ユーザの頭部のサウンドを調整して、前記システムに対する前記ユーザの頭部の向きに応じた３次元サウンドエフェクトを生成する段階と、
前記システムからの前記ユーザの距離、および、前記システムに対する前記ユーザの頭部の向きに基づいて、前記プロセッサベースのシステムからのサウンドを生成する段階と、
を備える方法。
【請求項１１】
前記ユーザの頭部の位置または向きを補償すべくレイテンシを調整する段階を備える、請求項１０に記載の方法。
【請求項１２】
ビデオ分析を利用して前記ユーザの頭部の位置および向きを判断する段階を備える、請求項１０または１１に記載の方法。
【請求項１３】
前記ユーザの頭部の位置に基づいて前記３次元サウンドエフェクトを生成する段階を備える、請求項１０から１２の何れか１項に記載の方法。
【請求項１４】
ディスプレイに対する前記ユーザの位置に基づいてサウンドを調整する段階を備える、請求項１０から１３の何れか１項に記載の方法。
【請求項１５】
前記イヤホンはヘッドフォンである、請求項１０から１４の何れか１項に記載の方法。
【請求項１６】
プロセッサベースのシステムによりイヤホンに提供される、ユーザの頭部のサウンドを調整して、前記システムに対する前記ユーザの頭部の向きに応じた３次元サウンドエフェクトを生成する手段と、
前記システムからの前記ユーザの距離、および、前記システムに対する前記ユーザの頭部の向きに基づいて前記プロセッサベースのシステムからのサウンドを生成する手段と、
を備える装置。
【請求項１７】
前記ユーザの頭部の位置または向きを補償すべくレイテンシを調整する手段を備える、請求項１６に記載の装置。
【請求項１８】
ビデオ分析を利用して前記ユーザの頭部の位置および向きを判断する手段を備える、請求項１６または１７に記載の装置。
【請求項１９】
前記ユーザの頭部の位置に基づいて前記３次元サウンドエフェクトを生成する手段を備える、請求項１６から１８の何れか１項に記載の装置。
【請求項２０】
ディスプレイに対する前記ユーザの位置に基づいてサウンドを調整する手段を備える、請求項１６から１９の何れか１項に記載の装置。
【請求項２１】
前記イヤホンは、ヘッドフォンである、請求項１６から２０の何れか１項に記載の装置。